(57)【要約】【課題】既存のターミナルアダプタを利用可能であるとともに、当該ターミナルアダプタに発生する問題をより低減することが可能なＩＳＤＮアダプタを提供する。【解決手段】ターミナルアダプタと回線終端装置とを経由してＩＳＤＮ回線に接続された単数または複数のアナログ電話機をＩＳＤＮまたはＩＰ網のいずれかに接続可能であり、ＩＳＤＮアダプタは、ＩＳＤＮまたはＩＰ網から着信要求を受信してアナログ電話機を呼び出し中に、当該ＩＳＤＮアダプタからＩＳＤＮまでの第１ＩＳＤＮ回線または当該ＩＳＤＮアダプタから回線終端装置までの第２ＩＳＤＮ回線の少なくとも一方の接続が切断される異常が所定時間以上継続した後、更に異常が回復した場合、異常が発生した時点における着信要求にて指定されていたチャネルと同じチャネルを指定したリセット情報をＩＳＤＮとターミナルアダプタに向けて送信し、着信要求にて指定されていたチャネルを解放する。【選択図】図３
2007295164.tif 000002
【特許請求の範囲】
【請求項１】
ＩＳＤＮ加入者の回線終端装置とＩＳＤＮとを接続するＩＳＤＮ回線中に直列接続され、更にＩＰ網にも接続されて、ターミナルアダプタと前記回線終端装置とを経由して前記ＩＳＤＮ回線に接続された単数または複数のアナログ電話機を前記ＩＳＤＮまたは前記ＩＰ網のいずれかに接続可能なＩＳＤＮアダプタであって、
前記ＩＳＤＮアダプタは、
前記アナログ電話機からの呼出情報に応じて接続先を前記ＩＳＤＮまたは前記ＩＰ網のいずれかに切り換え、前記ＩＳＤＮ側からの着信要求に対しては前記アナログ電話機を前記ＩＳＤＮに接続し、前記ＩＰ網側からの着信要求に対しては前記アナログ電話機を前記ＩＰ網に接続し、
前記ＩＳＤＮ用に用意された複数のチャネルのいずれかが指定された着信要求信号を前記ＩＳＤＮから受信すると、受信した着信要求信号を前記ターミナルアダプタに送信し、前記ＩＰ網から着信要求信号を受信すると、前記ＩＳＤＮ用に用意された複数のチャネルのいずれかを指定した着信要求信号に変換して前記ターミナルアダプタに送信し、
前記ＩＳＤＮまたは前記ＩＰ網から着信要求信号を受信して前記アナログ電話機を呼び出し中に、当該ＩＳＤＮアダプタから前記ＩＳＤＮまでを示す第１ＩＳＤＮ回線または当該ＩＳＤＮアダプタから前記回線終端装置までを示す第２ＩＳＤＮ回線の少なくとも一方の接続が切断される異常が所定時間以上継続した後、更に前記異常が回復した場合、前記異常が発生した時点における着信要求信号にて指定されていたチャネルと同じチャネルを指定したリセット情報を前記ＩＳＤＮと前記ターミナルアダプタに向けて送信し、前記着信要求にて指定されていたチャネルを解放する、
ことを特徴とするＩＳＤＮアダプタ。
【請求項２】
ＩＳＤＮ加入者の回線終端装置とＩＳＤＮとを接続するＩＳＤＮ回線中に直列接続され、更にＩＰ網にも接続されて、ターミナルアダプタと前記回線終端装置とを経由して前記ＩＳＤＮ回線に接続された単数または複数のアナログ電話機を前記ＩＳＤＮまたは前記ＩＰ網のいずれかに接続可能なＩＳＤＮアダプタであって、
前記ＩＳＤＮアダプタは、
前記アナログ電話機からの呼出情報に応じて接続先を前記ＩＳＤＮまたは前記ＩＰ網のいずれかに切り換え、前記ＩＳＤＮ側からの着信要求に対しては前記アナログ電話機を前記ＩＳＤＮに接続し、前記ＩＰ網側からの着信要求に対しては前記アナログ電話機を前記ＩＰ網に接続し、
前記アナログ電話機を前記ＩＳＤＮに接続する場合は、当該ＩＳＤＮアダプタから前記ＩＳＤＮまでの通話経路と当該ＩＳＤＮアダプタから前記ターミナルアダプタまでの通話経路とに前記ＩＳＤＮ用に用意された複数のチャネルのいずれかを用い、
前記アナログ電話機を前記ＩＰ網に接続する場合は、当該ＩＳＤＮアダプタから前記ターミナルアダプタまでの通話経路に前記ＩＳＤＮ用に用意された複数のチャネルのいずれかを用い、
前記アナログ電話機を、前記ＩＳＤＮまたは前記ＩＰ網と接続して通話経路を形成して通話中である場合に、当該ＩＳＤＮアダプタから前記ＩＳＤＮまでを示す第１ＩＳＤＮ回線または当該ＩＳＤＮアダプタから前記回線終端装置までを示す第２ＩＳＤＮ回線の少なくとも一方の接続が切断される異常が所定時間以上継続した後、更に前記異常が回復した場合、前記異常が発生した時点における通話経路にて利用されていたチャネルと同じチャネルを指定したリセット情報を前記ＩＳＤＮと前記ターミナルアダプタに向けて送信し、前記通話経路にて利用されていたチャネルを解放する、
ことを特徴とするＩＳＤＮアダプタ。
【発明の詳細な説明】
【技術分野】
【０００１】
本発明は、ＩＳＤＮ回線を用いた既存の電話機にて、ＩＰ網を用いたいわゆるＩＰ電話も可能とするＩＳＤＮアダプタに関する。
【背景技術】
【０００２】
近年では、ＩＰ網にて音声通信を行うＶｏＩＰ（Voice  over  ＩＰ）アダプタを用いて、従来の回線交換型の電話網（ＰＳＴＮ）を経由せずに、パケット交換型のＩＰ網を経由させることで通話料金を削減する、いわゆるＩＰ電話が普及している。
しかし、従来の電話網では通話可能であるが、ＩＰ網では通話を行うことが不可能な電話番号が存在している（例えば電話網の加入端末ではあるが、ＩＰ網の加入端末でない電話機等）。そこで、ＶｏＩＰアダプタは、電話番号に応じて通話経路を電話網あるいはＩＰ網に切り換えている。なお、電話網とＩＰ網では送受信されるデータ形式及びプロトコルが異なるため、ＶｏＩＰアダプタは各々のデータ形式及びプロトコルに変換して音声通信を行う。
また、ＩＳＤＮ（Integrated  Service  Digital  Network）の場合もＰＳＴＮと同様に、ＩＳＤＮを経由せずにＩＰ網を経由させるＩＳＤＮアダプタが普及している。ＩＳＤＮアダプタは、上記のＶｏＩＰアダプタと同様に、電話番号に応じて通話経路をＩＳＤＮあるいはＩＰ網に切り換え、ＩＳＤＮアダプタは、ＩＳＤＮとＩＰ網の各々のデータ形式及びプロトコルに変換して音声通話を行う。
この場合、ＩＳＤＮアダプタは、通話料金が比較的安いＩＰ網への接続を優先し、ＩＰ網を用いた通話経路を形成できない場合にＩＳＤＮを用いた通話経路を形成している。
【０００３】
例えば特許文献１に記載した従来技術では、現状のＩＳＤＮ環境を維持したまま、ＶｏＩＰ通話を容易に利用することが可能となる安価なＶｏＩＰ用ＩＳＤＮアダプタと、これを利用して通話を行うＶｏＩＰ通信システムが提案されている。
また、特許文献２に記載した従来技術では、発信側および着信側のそれぞれに１チャネルの空きがあればＩＰ電話を実現することができる、ＩＳＤＮとＩＰ網とを選択して接続するターミナルアダプタを用いたＩＰ電話システムが提案されている。
【特許文献１】特開２００４−００７５５０号公報
【特許文献２】特開２００１−３２６７４６号公報
【発明の開示】
【発明が解決しようとする課題】
【０００４】
特許文献１に記載された従来技術では、既存のＩＳＤＮ環境を維持して、ＩＳＤＮ（局）とＰＢＸとの間のＩＳＤＮ回線にＶｏＩＰ用ＩＳＤＮアダプタを直列接続してＩＳＤＮとＩＰ網とを選択している。この場合、既存のＩＳＤＮ環境を構成している機器が予想外の動作をして問題が発生する場合がある。例えばターミナルアダプタを介してアナログ電話機をＩＳＤＮ回線に接続している場合、ＩＳＤＮ（局）から当該アナログ電話機を呼び出し中にＩＳＤＮ回線が切断等され、更にその後に回復した場合、ＩＳＤＮ（局）からの呼び出しが受信されていない（ＩＳＤＮ（局）は回線切断を検知して呼び出しを停止）にもかかわらずターミナルアダプタがアナログ電話機に呼び出し信号を出力し続け、当該アナログ電話機の鳴動が停止しない、という問題が発生する場合がある。
また特許文献２に記載された従来技術では、ＩＳＤＮによる通話とＩＰ網による通話とを選択的に利用するために、既存のターミナルアダプタを引用文献２に記載されたターミナルアダプタに置き換えなければならない。このため、既存のターミナルアダプタが無駄になってしまうとともに、多くの費用が発生する。
【０００５】
本発明は、このような点に鑑みて創案されたものであり、既存のターミナルアダプタを利用可能であるとともに、当該ターミナルアダプタに発生する問題をより低減することが可能なＩＳＤＮアダプタを提供することを課題とする。
【課題を解決するための手段】
【０００６】
上記課題を解決するための手段として、本発明の第１発明は、請求項１に記載されたとおりのＩＳＤＮアダプタである。
請求項１に記載のＩＳＤＮアダプタは、ＩＳＤＮ加入者の回線終端装置とＩＳＤＮとを接続するＩＳＤＮ回線中に直列接続され、更にＩＰ網にも接続されて、ターミナルアダプタと前記回線終端装置とを経由して前記ＩＳＤＮ回線に接続された単数または複数のアナログ電話機を前記ＩＳＤＮまたは前記ＩＰ網のいずれかに接続可能なＩＳＤＮアダプタである。
前記ＩＳＤＮアダプタは、前記アナログ電話機からの呼出情報に応じて接続先を前記ＩＳＤＮまたは前記ＩＰ網のいずれかに切り換え、前記ＩＳＤＮ側からの着信要求に対しては前記アナログ電話機を前記ＩＳＤＮに接続し、前記ＩＰ網側からの着信要求に対しては前記アナログ電話機を前記ＩＰ網に接続し、前記ＩＳＤＮ用に用意された複数のチャネルのいずれかが指定された着信要求信号を前記ＩＳＤＮから受信すると、受信した着信要求信号を前記ターミナルアダプタに送信し、前記ＩＰ網から着信要求信号を受信すると、前記ＩＳＤＮ用に用意された複数のチャネルのいずれかを指定した着信要求信号に変換して前記ターミナルアダプタに送信する。
そして前記ＩＳＤＮアダプタは、前記ＩＳＤＮまたは前記ＩＰ網から着信要求信号を受信して前記アナログ電話機を呼び出し中に、当該ＩＳＤＮアダプタから前記ＩＳＤＮまでを示す第１ＩＳＤＮ回線または当該ＩＳＤＮアダプタから前記回線終端装置までを示す第２ＩＳＤＮ回線の少なくとも一方の接続が切断される異常が所定時間以上継続した後、更に前記異常が回復した場合、前記異常が発生した時点における着信要求信号にて指定されていたチャネルと同じチャネルを指定したリセット情報を前記ＩＳＤＮと前記ターミナルアダプタに向けて送信し、前記着信要求にて指定されていたチャネルを解放する。
【０００７】
また、本発明の第２発明は、請求項２に記載されたとおりのＩＳＤＮアダプタである。
請求項２に記載のＩＳＤＮアダプタは、ＩＳＤＮ加入者の回線終端装置とＩＳＤＮとを接続するＩＳＤＮ回線中に直列接続され、更にＩＰ網にも接続されて、ターミナルアダプタと前記回線終端装置とを経由して前記ＩＳＤＮ回線に接続された単数または複数のアナログ電話機を前記ＩＳＤＮまたは前記ＩＰ網のいずれかに接続可能なＩＳＤＮアダプタである。
前記ＩＳＤＮアダプタは、前記アナログ電話機からの呼出情報に応じて接続先を前記ＩＳＤＮまたは前記ＩＰ網のいずれかに切り換え、前記ＩＳＤＮ側からの着信要求に対しては前記アナログ電話機を前記ＩＳＤＮに接続し、前記ＩＰ網側からの着信要求に対しては前記アナログ電話機を前記ＩＰ網に接続し、前記アナログ電話機を前記ＩＳＤＮに接続する場合は、当該ＩＳＤＮアダプタから前記ＩＳＤＮまでの通話経路と当該ＩＳＤＮアダプタから前記ターミナルアダプタまでの通話経路とに前記ＩＳＤＮ用に用意された複数のチャネルのいずれかを用い、前記アナログ電話機を前記ＩＰ網に接続する場合は、当該ＩＳＤＮアダプタから前記ターミナルアダプタまでの通話経路に前記ＩＳＤＮ用に用意された複数のチャネルのいずれかを用いる。
そして前記ＩＳＤＮアダプタは、前記アナログ電話機を、前記ＩＳＤＮまたは前記ＩＰ網と接続して通話経路を形成して通話中である場合に、当該ＩＳＤＮアダプタから前記ＩＳＤＮまでを示す第１ＩＳＤＮ回線または当該ＩＳＤＮアダプタから前記回線終端装置までを示す第２ＩＳＤＮ回線の少なくとも一方の接続が切断される異常が所定時間以上継続した後、更に前記異常が回復した場合、前記異常が発生した時点における通話経路にて利用されていたチャネルと同じチャネルを指定したリセット情報を前記ＩＳＤＮと前記ターミナルアダプタに向けて送信し、前記通話経路にて利用されていたチャネルを解放する。
【発明の効果】
【０００８】
請求項１に記載のＩＳＤＮアダプタを用いれば、ＩＳＤＮからの着信要求信号は、そのままターミナルアダプタに送信され、ＩＰ網からの着信要求信号は変換されてターミナルアダプタに送信される。このため、既存のターミナルアダプタを用いることが可能であり、既存のアナログ電話機を用いることが可能である。
また、ＩＳＤＮまたはＩＰ網から着信要求を受信し、ターミナルアダプタからアナログ電話機に呼び出し信号が送信されてアナログ電話機を呼び出し中に、第１ＩＳＤＮ回線または第２ＩＳＤＮ回線が切断されるいわゆるリンク切れ状態が発生した場合、リンク切れ状態が回復したときにリセット情報をＩＳＤＮとターミナルアダプタに送信してチャネルを解放することで、ＩＳＤＮとターミナルアダプタとを適切に初期化することができる。従って、前記リンク切れ状態にて何らかの問題が発生しても、リンク切れ回復時に初期化することで前記問題を解消することができる。
このように、既存のターミナルアダプタを利用可能であるとともに、当該ターミナルアダプタに発生する問題をより低減することができる。
【０００９】
また、請求項２に記載のＩＳＤＮアダプタを用いれば、アナログ電話機をＩＳＤＮに接続する場合もＩＰ網に接続する場合も、ＩＳＤＮアダプタからターミナルアダプタまでの通話経路にＩＳＤＮ用に用意された複数のチャネルのいずれかを用いるため、既存のターミナルアダプタを用いることが可能であり、既存のアナログ電話機を用いることが可能である。
また、ターミナルアダプタがアナログ電話機を呼び出し中にリンク切れが発生した場合の問題を低減する請求項１に対して、既に呼び出しを終えて通話中にリンク切れが発生し、当該リンク切れ状態にて何らかの問題が発生しても、リンク切れ回復時に初期化することで前記問題を解消することができる。
このように、既存のターミナルアダプタを利用可能であるとともに、当該ターミナルアダプタに発生する問題をより低減することができる。
【発明を実施するための最良の形態】
【００１０】
以下に本発明を実施するための最良の形態を図面を用いて説明する。図１（Ａ）及び（Ｂ）は、加入者の電話機５０Ａ〜５０ＮからＩＳＤＮ及びＩＰ網までの接続図を示しており、本発明のＩＳＤＮアダプタ１０を含む通信システムの接続図の例を示している。
●［接続図（図１）］
図１（Ａ）は、ＩＳＤＮ加入者の電話機の数が比較的多い場合の接続図の例を示しており、構内交換機３０（ＰＢＸ等）を含む構成である。
図１（Ａ）の接続図の例において、電話機５０Ａ及び５０Ｂはアナログ電話機（ＩＳＤＮ非対応機器）であり、ターミナルアダプタ４０（以下、ＴＡ４０と記載する）を経由して構内交換機３０に接続されている。ＴＡ４０は既存のアナログ電話機をＩＳＤＮにて使用可能とするインタフェースである。また電話機５０Ｃ〜５０ＮはＩＳＤＮ用のデジタル電話機（ＩＳＤＮ対応機器）であり、ＴＡ４０を経由することなく構内交換機３０に接続されている。
構内交換機３０は回線終端装置２０（Digital  Service  Unit：ＤＳＵ）に接続され、回線終端装置２０はＩＳＤＮ回線ＣＤ（第２ＩＳＤＮ回線）を介してＩＳＤＮアダプタ１０に接続される。そしてＩＳＤＮアダプタ１０は、ＩＳＤＮ回線ＣＳ（第１ＩＳＤＮ回線）を介してＩＳＤＮに接続されている。従ってＩＳＤＮアダプタ１０は、回線終端装置２０とＩＳＤＮとを接続するＩＳＤＮ回線中に直列接続されている。またＩＳＤＮアダプタ１０は、ＩＰ網にもインターネット回線ＣＰにて接続されている。なお、構内交換機３０は省略してもよい。
【００１１】
図１（Ｂ）の例は、２台のアナログ電話機５０Ａ及び５０Ｂを用いた接続図の例を示している。この例は一般的な２Ｂ＋Ｄのチャネル構成（Ｂ１チャネルとＢ２チャネルの２個のＢチャネルと、１個のＤチャネル）を有するＩＳＤＮ回線の例を示している。この場合、一般的にはＢ１チャネルとＢ２チャネルが音声データの送受信に利用され、Ｄチャネルは呼出音や着信要求等の制御信号に利用される。図１（Ａ）では、このＩＳＤＮ回線を複数本使用、あるいは２３Ｂ＋Ｄのチャネル構成のＩＳＤＮ回線を使用等している。
アナログ電話機５０Ａ、５０Ｂはターミナルアダプタ４０Ａ（以下、ＴＡ４０Ａと記載する）を経由してＩＳＤＮ回線ＣＤに接続されている。なお、図１（Ｂ）は、ＴＡ４０Ａが回線終端装置２０を収容している例を示している。
本発明のＩＳＤＮアダプタ１０は、図１（Ａ）及び（Ｂ）に示すように、通信システム中に接続され、ターミナルアダプタ４０と回線終端装置２０（または回線終端装置を収容しているターミナルアダプタ４０Ａ）を経由してＩＳＤＮ回線ＣＤに接続された単数または複数のアナログ電話機（５０Ａ、５０Ｂ）をＩＳＤＮまたはＩＰ網のいずれかに接続可能である。
図１（Ａ）の接続においても図１（Ｂ）の接続においてもＩＳＤＮアダプタ１０の動作は同様であるので、以下では図１（Ｂ）の接続にてＩＳＤＮアダプタ１０について説明する。
【００１２】
●［ＩＳＤＮアダプタ１０の内部構成（図２）］
次に、図２を用いて本発明のＩＳＤＮアダプタ１０の内部構成について説明する。
ＩＳＤＮからのＩＳＤＮ回線ＣＳは回線終端装置１１に接続され、当該回線終端装置１１は切換手段ＳＷＡに接続されている。切換手段ＳＷＡは、回線終端装置１１を、スルー側のＳ／Ｔ点Ｐ１側に接続するか制御手段１３側に接続するか、を切り換えている。なお、切換手段ＳＷＢは切換手段ＳＷＡと連動しており、切換手段ＳＷＡがＳ／Ｔ点Ｐ１側と短絡した場合は切換手段ＳＷＢもＳ／Ｔ点Ｐ１側と短絡する方向に切り換わる。また切換手段ＳＷＡが制御手段１３側と短絡した場合は切換手段ＳＷＢも制御手段１３側と短絡する方向に切り換わる。
ＩＳＤＮアダプタ１０は電源が供給されて正常に動作している場合、切換手段ＳＷＡ、ＳＷＢを制御手段１３側と短絡させ、電源の供給が停止した場合あるいは電源は供給されているが動作が正常でない場合、切換手段ＳＷＡ、ＳＷＢをＳ／Ｔ点Ｐ１側と短絡させる。
なお、Ｓ／Ｔ点Ｐ１、Ｐ２、Ｐ３は、回線終端装置１１から電話機側のＩＳＤＮバスに他の機器を接続する場合の配線取出し点であり（同様にポイントＰ４はインターネット回線ＣＰに他の機器を接続する場合の配線取出し点）、特に説明は省略する。
【００１３】
以下の説明では、ＩＳＤＮ回線ＣＳ及びＣＤで送受信されるデジタルデータをＩＳＤＮパケットと呼び、インターネット回線ＣＰで送受信されるデジタルデータをＩＰパケットと呼ぶ。
制御手段１３は例えばＣＰＵであり、アナログ電話機５０ＡをＩＳＤＮに接続するように通話経路を形成した場合、ＴＡ４０Ａから、アナログ電話機５０Ａからの音声データ（ＩＳＤＮ用のプロトコル及びデータ形式であり、以下では音声データ［ＩＳＤＮ］と記載する）を含むＩＳＤＮパケットをＩＳＤＮ回線ＣＤからＩＳＤＮインタフェース１４を介して受信し、受信した音声データ［ＩＳＤＮ］を含むＩＳＤＮパケットをＩＳＤＮインタフェース１２、回線終端装置１１及びＩＳＤＮ回線ＣＳを介してＩＳＤＮに向けて送信する。またＩＳＤＮ側からの音声データ［ＩＳＤＮ］を含むＩＳＤＮパケットをＩＳＤＮ回線ＣＳから回線終端装置１１及びＩＳＤＮインタフェース１２を介して受信し、受信した音声データ［ＩＳＤＮ］を含むＩＳＤＮパケットをＩＳＤＮインタフェース１４及びＩＳＤＮ回線ＣＤを介してＴＡ４０Ａに向けて送信する（そしてＴＡ４０Ａがアナログ信号に変換してアナログ電話機５０Ａに出力する）。
この場合、制御手段１３はＩＳＤＮ用のプロトコル及びデータ形式のみを用いて送受信を行う。
【００１４】
また制御手段１３は、アナログ電話機５０ＢをＩＰ網に接続するように通話経路を形成した場合、ＴＡ４０Ａから、アナログ電話機５０Ｂからの音声データ［ＩＳＤＮ］を含むＩＳＤＮパケットをＩＳＤＮ回線ＣＤからＩＳＤＮインタフェース１４を介して受信し、受信した音声データ［ＩＳＤＮ］を含むＩＳＤＮパケットをＩＰ網用のプロトコル及びデータ形式に変換して、変換した音声データ（以下、音声データ［ＩＰ］と記載する）を含むＩＰパケットをＩＰインタフェース１５及びインターネット回線ＣＰを介してＩＰ網に向けて送信する。またＩＰ網側からの音声データ［ＩＰ］を含むＩＰパケットをインターネット回線ＣＰからＩＰインタフェース１５を介して受信し、受信した音声データ［ＩＰ］を含むＩＰパケットをＩＳＤＮ用のプロトコル及びデータ形式に変換して、変換した音声データ［ＩＳＤＮ］を含むＩＳＤＮパケットをＩＳＤＮインタフェース１４及びＩＳＤＮ回線ＣＤを介してＴＡ４０Ａに向けて送信する（そしてＴＡ４０Ａがアナログ信号に変換してアナログ電話機５０Ｂに出力する）。
この場合、制御手段１３はＩＳＤＮ用のプロトコル及びデータ形式とＩＰ網用のプロトコル及びデータ形式とを用いて交互に変換して送受信を行う。
なお、これらの制御手段１３の動作を行わせるプログラムは、制御手段１３からアクセス可能に設けられた記憶手段１６に記憶されている。
【００１５】
ＩＳＤＮアダプタ１０は、アナログ電話機５０Ａ、５０Ｂからの呼出情報（アナログ電話機５０Ａ、５０Ｂから発信する場合のダイアル信号等）に応じて接続先をＩＳＤＮまたはＩＰ網のいずれかに切り換える。例えばＩＳＤＮアダプタ１０は、記憶手段１６にＩＰ網に接続する着信先のダイアル番号とＩＰアドレスが記憶されたＩＰ接続情報が記憶されており、ＴＡ４０Ａから、アナログ電話機５０Ａ、５０Ｂからの呼出情報を含むＩＳＤＮパケットに含まれているダイアル番号と、記憶手段１６に記憶しているＩＰ接続情報とを照合する。そして一致するダイアル番号が検出されると、当該ダイアル番号に対応するＩＰアドレスに向けてインターネット回線ＣＰを介してＩＰ網に呼出情報（ＩＰ網用のプロトコル及びデータ形式であり、以下では呼出情報［ＩＰ］と記載する）を含むＩＰパケットを送信する。一致するダイアル番号が検出されない場合はＩＳＤＮ回線ＣＳを介してＩＳＤＮに呼出情報（ＩＳＤＮ用のプロトコル及びデータ形式であり、以下では呼出情報［ＩＳＤＮ］と記載する）を含むＩＳＤＮパケットを送信する。
なお、本実施の形態では、電話機からＩＳＤＮ側に発信する呼出信号を「呼出情報」と記載し、ＩＳＤＮ側（またはＩＰ網側）から電話機に発信する呼出信号を「着信要求信号」と記載している。
【００１６】
また、ＩＳＤＮアダプタ１０は、ＩＳＤＮ側からの着信要求信号（ＩＳＤＮ用のプロトコル及びデータ形式であり、以下では着信要求信号［ＩＳＤＮ］と記載する）を含むＩＳＤＮパケットを受信すると、当該着信要求信号［ＩＳＤＮ］を含むＩＳＤＮパケットを、ＩＳＤＮ回線ＣＤを介してＴＡ４０Ａに送信する。そしてアナログ電話機５０Ａまたは５０Ｂがオフフックされると当該アナログ電話機からＩＳＤＮへの通話経路を形成する。
また、ＩＳＤＮアダプタ１０は、ＩＰ網側からの着信要求信号（ＩＰ網用のプロトコル及びデータ形式であり、以下では着信要求信号［ＩＰ］と記載する）を含むＩＰパケットを受信すると、当該着信要求信号［ＩＰ］を着信要求信号［ＩＳＤＮ］に変換して、変換した着信要求信号［ＩＳＤＮ］を含むＩＳＤＮパケットを、ＩＳＤＮ回線ＣＤを介してＴＡ４０Ａに送信する。そしてアナログ電話機５０Ａまたは５０Ｂがオフフックされると当該アナログ電話機からＩＰ網への通話経路を形成する。
【００１７】
●［ＩＳＤＮまたはＩＰ網から着信要求信号を受信中にリンク切れが発生した場合におけるＩＳＤＮアダプタ１０の動作（図３、図４）］
次に図３（Ａ）〜（Ｄ）を用いて、ＩＳＤＮから着信要求信号を受信中にリンク切れが発生した場合におけるＩＳＤＮアダプタ１０の動作について説明する。
なお、第１ＩＳＤＮ回線ＣＳ及び第２ＩＳＤＮ回線ＣＤでは、ＩＳＤＮパケットの送受信が行われ、ＴＡ４０Ａとアナログ電話機５０Ａ及び５０Ｂとの間ではアナログデータの送受信が行われる。ＩＳＤＮからＩＳＤＮアダプタ１０までの通話経路、及びＩＳＤＮアダプタ１０からＴＡ４０Ａまでの通話経路には、ＩＳＤＮ用に用意された複数のチャネルのいずれかが利用される（この場合、Ｂ１チャネルまたはＢ２チャネルが利用される）。
【００１８】
図３（Ａ）は、ＩＳＤＮアダプタ１０が、ＩＳＤＮから着信要求信号［ＩＳＤＮ］を含むＩＳＤＮパケットを受信している場合を示している。この場合、ＩＳＤＮパケットにおけるＤチャネルに着信要求信号が含まれており、着信要求信号には通話時に利用するチャネルの指定に関する情報（Ｂ１チャネルを指定、またはＢ２チャネルを指定）も含まれている。
そしてＩＳＤＮアダプタ１０は、ＩＳＤＮ側から受信した着信要求信号［ＩＳＤＮ］が含まれているＩＳＤＮパケットを、ＴＡ４０Ａに向けて送信する。
ＴＡ４０Ａは、ＩＳＤＮアダプタ１０からＩＳＤＮパケットを受信すると、受信したＩＳＤＮパケットのＤチャネルに含まれている着信要求信号［ＩＳＤＮ］に基づいて、呼出信号（例えば呼出ベル音を発生させる１６Ｈｚの信号）をアナログ電話機５０Ａ及び５０Ｂに送信する。
アナログ電話機５０Ａ及び５０Ｂは、ＴＡ４０Ａから受信した呼出信号に基づいて呼出ベル音を発生する（鳴動する）。
【００１９】
図３（Ｂ）は、図３（Ａ）の状態から第１ＩＳＤＮ回線ＣＳが切断等されてリンク切れ状態が発生した様子を示している。ＩＳＤＮアダプタ１０は、第１ＩＳＤＮ回線ＣＳ及び第２ＩＳＤＮ回線ＣＤのリンク切れ状態を検出可能であり、第１ＩＳＤＮ回線ＣＳのリンク切れ状態を検出すると、第２ＩＳＤＮ回線ＣＤを論理的に切断してリンク切れ状態であることをＴＡ４０Ａが認識可能とする。またＩＳＤＮアダプタ１０は、第２ＩＳＤＮ回線ＣＤのリンク切れ状態を検出すると、第１ＩＳＤＮ回線ＣＳを論理的に切断してリンク切れ状態であることをＩＳＤＮが認識可能とする。
この場合、第１ＩＳＤＮ回線ＣＳと第２ＩＳＤＮ回線ＣＤがどちらもリンク切れ状態となり、ＩＳＤＮパケットの送受信は行われない。しかし、この状態においてＴＡ４０Ａが呼出信号を出し続ける場合がある。
【００２０】
更に図３（Ｃ）は、図３（Ｂ）の状態が所定時間以上継続した後に、第１ＩＳＤＮ回線ＣＳのリンク切れ状態が回復した様子を示している。ＩＳＤＮアダプタ１０は、第１ＩＳＤＮ回線ＣＳが回復したことを検出し、第２ＩＳＤＮ回線ＣＤの切断を解除する。
この場合、ＩＳＤＮ側はリンク切れ状態の検出によって着信要求信号［ＩＳＤＮ］を含んだＩＳＤＮパケットの送信を行っていないにもかかわらず、ＴＡ４０Ａが呼出信号を出し続ける場合がある。
本発明のＩＳＤＮアダプタ１０は、既存のＩＳＤＮ環境に追加してＩＰ電話も可能とするものであり、既存のＩＳＤＮ環境に用いられているＴＡ４０Ａには、種々のメーカの種々のターミナルアダプタが存在する。
このため、種々のＴＡ４０Ａの中には、上記に説明したように、着信要求信号［ＩＳＤＮ］が含まれているＩＳＤＮパケットを受信していないにもかかわらずアナログ電話機５０Ａ及び５０Ｂに呼出信号を出し続けるものもある。この場合、ＴＡ４０Ａをリセットするか、アナログ電話機５０Ａまたは５０Ｂを一旦オフフックした後にオンフックしなければ呼出ベル音が停止しない。これでは留守中等の場合に呼出ベル音を停止できないので好ましくない。
【００２１】
図３（Ｄ）は、図３（Ｃ）の状態の後、ＩＳＤＮアダプタ１０からアナログ電話機５０Ａ及び５０Ｂの呼出ベル音を停止させる動作を示している。
本発明のＩＳＤＮアダプタ１０は、ＩＳＤＮまたはＩＰ網から着信要求信号を受信（この場合、ＩＳＤＮから着信要求信号［ＩＳＤＮ］が含まれているＩＳＤＮパケットを受信）してアナログ電話機を呼び出し中（図３（Ａ）の状態）に、第１ＩＳＤＮ回線ＣＳまたは第２ＩＳＤＮ回線ＣＤの少なくとも一方の接続が切断される異常が所定時間以上継続（図３（Ｂ）の状態）した後、更に前記異常が回復（図３（Ｃ）の状態）した場合、異常が発生した時点における着信要求信号にて指定されていたチャネル（例えばＢ１チャネル）と同じチャネルを指定したリセット情報（例えばＢ１チャネルを指定したリセット情報をＤチャネルに含むＩＳＤＮパケット）をＩＳＤＮとＴＡ４０Ａに向けて送信し、前記着信要求信号［ＩＳＤＮ］にて指定されていたチャネルを解放する。
これにより、ＴＡ４０Ａから出力されていた呼出信号を停止させてアナログ電話機５０Ａ及び５０Ｂの鳴動を停止させることができる。
【００２２】
次に図４（Ａ）及び（Ｂ）を用いて、ＩＰ網から着信要求信号を受信中にリンク切れが発生した場合におけるＩＳＤＮアダプタ１０の動作について説明する。
なお、インターネット回線ＣＰでは、ＩＰパケットの送受信が行われる。この場合も、ＩＳＤＮアダプタ１０からＴＡ４０Ａまでの通話経路には、ＩＳＤＮ用に用意された複数のチャネルのいずれかが利用される（この場合、Ｂ１チャネルまたはＢ２チャネルが利用される）。
図４（Ａ）は、ＩＳＤＮアダプタ１０が、ＩＰ網から着信要求信号［ＩＰ］を含むＩＰパケットを受信している場合を示している。この場合、ＩＳＤＮアダプタ１０は、着信要求信号［ＩＰ］を着信要求信号［ＩＳＤＮ］に変換し、変換した着信要求信号［ＩＳＤＮ］がＤチャネルに含まれるＩＳＤＮパケットを作成してＴＡ４０Ａに送信する。また、着信要求信号に含まれている通話時に利用するチャネルの指定に関する情報（Ｂ１チャネルを指定、またはＢ２チャネルを指定）は、例えばＩＳＤＮアダプタ１０が現在使用していないチャネルを選択して指定する。
そして第１ＩＳＤＮ回線ＣＳまたは第２ＩＳＤＮ回線ＣＤが切断等されてリンク切れ状態が発生した場合は図３（Ｂ）と同様であるので、図示及び説明を省略する。
また上記のリンク切れ状態が所定時間以上継続した後に、リンク切れ状態から回復した様子は図３（Ｃ）と同様であるので、図示及び説明を省略する。
【００２３】
そして図４（Ｂ）は、上記のリンク切れ状態からの回復の後、ＩＳＤＮアダプタ１０からアナログ電話機５０Ａ及び５０Ｂの呼出ベル音を停止させる動作を示している。
本発明のＩＳＤＮアダプタ１０は、ＩＳＤＮまたはＩＰ網から着信要求信号を受信（この場合、ＩＰ網から着信要求信号［ＩＰ］が含まれているＩＰパケットを受信）してアナログ電話機を呼び出し中（図４（Ａ）の状態）に、第１ＩＳＤＮ回線ＣＳまたは第２ＩＳＤＮ回線ＣＤの少なくとも一方の接続が切断される異常が所定時間以上継続した後、更に前記異常が回復した場合、異常が発生した時点における着信要求信号（この場合、ＩＳＤＮアダプタ１０が変換した着信要求信号［ＩＳＤＮ］）にて指定されていたチャネル（例えばＢ１チャネル）と同じチャネルを指定したリセット情報（例えばＢ１チャネルを指定したリセット情報をＤチャネルに含むＩＳＤＮパケット）をＩＳＤＮとＴＡ４０Ａに向けて送信し、前記着信要求信号［ＩＳＤＮ］にて指定されていたチャネルを解放する。なお、当該リセット情報を含むＩＰパケットを、着信要求信号［ＩＰ］を送信してきた機器のアドレス宛てにインターネット回線ＣＰを介して送信してもよい。
これにより、ＴＡ４０Ａから出力されていた呼出信号を停止させてアナログ電話機５０Ａ及び５０Ｂの鳴動を停止させることができる。
【００２４】
●［アナログ電話機をＩＳＤＮまたはＩＰ網に接続して通話中にリンク切れが発生した場合におけるＩＳＤＮアダプタ１０の動作（図５、図６）］
次に図５（Ａ）〜（Ｄ）を用いて、アナログ電話機５０ＡをＩＳＤＮに接続して通話中にリンク切れが発生した場合におけるＩＳＤＮアダプタ１０の動作について説明する。
図５（Ａ）は、ＩＳＤＮアダプタ１０がチャネルＢ１を用いてＩＳＤＮとアナログ電話機５０Ａとの通話経路を形成して通話中である状態を示している。ＩＳＤＮアダプタ１０からＩＳＤＮまでの通話経路とＩＳＤＮアダプタ１０からＴＡ４０Ａまでの通話経路とには、ＩＳＤＮ用に用意された複数のチャネルのいずれかが利用される。
【００２５】
図５（Ｂ）は、図５（Ａ）の状態から第１ＩＳＤＮ回線ＣＳが切断等されてリンク切れ状態が発生した様子を示している。
この場合、上述したようにＩＳＤＮアダプタ１０が第２ＩＳＤＮ回線ＣＤを論理的に切断するため、第１ＩＳＤＮ回線ＣＳと第２ＩＳＤＮ回線ＣＤがどちらもリンク切れ状態となり、ＩＳＤＮパケットの送受信は行われない。
更に図５（Ｃ）は、図５（Ｂ）の状態が所定時間以上継続した後に、第１ＩＳＤＮ回線ＣＳのリンク切れ状態が回復した様子を示している。ＩＳＤＮアダプタ１０は、第１ＩＳＤＮ回線ＣＳが回復したことを検出し、第２ＩＳＤＮ回線ＣＤの切断を解除する。
この場合、ＩＳＤＮ側はリンク切れ状態の検出によって音声データ［ＩＳＤＮ］を含んだＩＳＤＮパケットの送信を行っていない。
【００２６】
図５（Ｄ）は、図５（Ｃ）の状態の後のＩＳＤＮアダプタ１０の動作を示している。
本発明のＩＳＤＮアダプタ１０は、アナログ電話機をＩＳＤＮまたはＩＰ網に接続して通話経路を形成して通話中（この場合、アナログ電話機５０ＡをＩＳＤＮに接続してＢ１チャネルを利用して通話経路を形成して通話中（図５（Ａ）の状態））に、第１ＩＳＤＮ回線ＣＳまたは第２ＩＳＤＮ回線ＣＤの少なくとも一方の接続が切断される異常が所定時間以上継続（図５（Ｂ）の状態）した後、更に前記異常が回復（図５（Ｃ）の状態）した場合、異常が発生した時点における通話経路にて利用されていたチャネル（この場合、Ｂ１チャネル）と同じチャネルを指定したリセット情報（この場合、Ｂ１チャネルを指定したリセット情報をＤチャネルに含むＩＳＤＮパケット）をＩＳＤＮとＴＡ４０Ａに向けて送信し、前記通話経路にて利用していたチャネルを解放する。
【００２７】
次に図６（Ａ）及び（Ｂ）を用いて、アナログ電話機５０ＡをＩＰ網に接続して通話中にリンク切れが発生した場合におけるＩＳＤＮアダプタ１０の動作について説明する。
図６（Ａ）は、ＩＳＤＮアダプタ１０がチャネルＢ１を用いてアナログ電話機５０ＡとＩＰ網との通話経路を形成して通話中である状態を示している。ＩＳＤＮアダプタ１０からＴＡ４０Ａまでの通話経路には、ＩＳＤＮ用に用意された複数のチャネルのいずれかが利用される。
そして第１ＩＳＤＮ回線ＣＳまたは第２ＩＳＤＮ回線ＣＤが切断等されてリンク切れ状態が発生した場合は図５（Ｂ）と同様であるので、図示及び説明を省略する。
また上記のリンク切れ状態が所定時間以上継続した後に、リンク切れ状態から回復した様子は図５（Ｃ）と同様であるので、図示及び説明を省略する。
【００２８】
そして図６（Ｂ）は、上記のリンク切れ状態からの回復の後のＩＳＤＮアダプタ１０の動作を示している。
本発明のＩＳＤＮアダプタ１０は、アナログ電話機をＩＳＤＮまたはＩＰ網に接続して通話経路を形成して通話中（この場合、アナログ電話機５０ＡをＩＰ網に接続してＢ１チャネルを利用して通話経路を形成して通話中（図６（Ａ）の状態））に、第１ＩＳＤＮ回線ＣＳまたは第２ＩＳＤＮ回線ＣＤの少なくとも一方の接続が切断される異常が所定時間以上継続した後、更に前記異常が回復した場合、異常が発生した時点における通話経路にて利用されていたチャネル（この場合、Ｂ１チャネル）と同じチャネルを指定したリセット情報（この場合、Ｂ１チャネルを指定したリセット情報をＤチャネルに含むＩＳＤＮパケット）をＩＳＤＮとＴＡ４０Ａに向けて送信し、前記通話経路に利用していたチャネルを解放する。なお、当該リセット情報を含むＩＰパケットを、通話中の時点で通話経路を形成していた機器のアドレス宛てにインターネット回線ＣＰを介して送信してもよい。
【００２９】
本発明のＩＳＤＮアダプタ１０は、本実施の形態で説明した構成、動作等に限定されず、本発明の要旨を変更しない範囲で種々の変更、追加、削除が可能である。
なお、インターネット回線ＣＰからの着信要求信号［ＩＰ］を受信中、あるいはアナログ電話機をＩＰ網に接続して通話中に、インターネット回線ＣＰが所定時間以上継続してリンク切れ状態となった後、当該リンク切れが回復した場合、ＩＳＤＮアダプタ１０からリセット情報を含むＩＳＤＮパケットをＴＡ４０Ａに送信し、前記リセット情報を含むＩＰパケットを着信要求信号［ＩＰ］を送信してきた機器のアドレス、またはアナログ電話機と通話経路が形成されていた相手側の機器のアドレス宛てに送信するようにしてもよい。
【図面の簡単な説明】
【００３０】
【図１】本発明のＩＳＤＮアダプタ１０を含み、加入者の電話機５０Ａ〜５０ＮからＩＳＤＮ及びＩＰ網までの通信システムの接続図の例を説明する図である。
【図２】ＩＳＤＮアダプタ１０の内部構成の例を説明する図である。
【図３】ＩＳＤＮから着信要求信号を受信中にリンク切れが発生した場合におけるＩＳＤＮアダプタ１０の動作を説明する図である。
【図４】ＩＰ網から着信要求信号を受信中にリンク切れが発生した場合におけるＩＳＤＮアダプタ１０の動作を説明する図である。
【図５】アナログ電話機をＩＳＤＮに接続して通話中にリンク切れが発生した場合におけるＩＳＤＮアダプタ１０の動作を説明する図である。
【図６】アナログ電話機をＩＰ網に接続して通話中にリンク切れが発生した場合におけるＩＳＤＮアダプタ１０の動作を説明する図である。
【符号の説明】
【００３１】
１０    ＩＳＤＮアダプタ
１１    回線終端装置
１２、１４    ＩＳＤＮインタフェース
１３    制御手段
１５    ＩＰインタフェース
１６    記憶手段
２０    回線終端装置（ＤＳＵ）
３０    構内交換機（ＰＢＸ）
４０    ターミナルアダプタ
４０Ａ  ターミナルアダプタ（回線終端装置を収容しているターミナルアダプタ）
５０Ａ、５０Ｂ    アナログ電話機（ＩＳＤＮ非対応機器）
５０Ｃ〜５０Ｎ    デジタル電話機（ＩＳＤＮ対応機器）
ＣＳ    ＩＳＤＮ回線（第１ＩＳＤＮ回線）
ＣＤ    ＩＳＤＮ回線（第２ＩＳＤＮ回線）
ＣＰ    インターネット回線
【図１】
2007295164.tif 000003
【図２】
2007295164.tif 000004
【図３】
2007295164.tif 000005
【図４】
2007295164.tif 000006
【図５】
2007295164.tif 000007
【図６】
2007295164.tif 000008